(57)【要約】【課題】従来の情報提供装置では、センタから指定されたスケジュールに沿った情報配信しかできないため、動的に変化する交通状況に応じて、配信する情報の内容や配信する順番を動的に変更することや、危険な事象が発生した際に遅延のない迅速な情報提供ができなかった。また、情報配信手段を増設したときに、センタにて全ての情報配信手段を制御する必要があるため、情報提供処理の負荷が増大するこという課題があった。【解決手段】この発明に係る情報提供システムは、情報提供システムは、時刻情報、入力装置から入力された入力情報及びＤＳＲＣ路側装置の接続情報に基づき情報出力の判定を行って配信制御情報を出力する情報提供判定装置と、配信制御情報に基づきＤＳＲＣ路側装置への配信情報を制御する情報配信制御装置とを備えたので、突然発生する危険事象に対しても迅速に情報提供できる。【選択図】図１
2009020662.tif 000002
【特許請求の範囲】
【請求項１】
時刻情報、入力装置から入力された入力情報及びＤＳＲＣ路側装置の接続情報に基づき情報出力の判定を行って配信制御情報を出力する情報提供判定装置と、
前記配信制御情報に基づき前記ＤＳＲＣ路側装置への配信情報を制御する情報配信制御装置とを備えたことを特徴とする情報提供システム。
【請求項２】
配信制御情報は、配信制御情報の登録情報または削除情報であることを特徴とする請求項１に記載の情報提供システム。
【請求項３】
配信制御情報は、配信要求の情報であることを特徴とする請求項１または２に記載の情報提供システム。
【請求項４】
配信制御情報には、配信順序を制御する優先度を含んでいることを特徴とする請求項１から３のいずれか１項に記載の情報提供システム。
【請求項５】
情報提供判定装置は、周期的に判定を実施することを特徴とする請求項１から４のいずれか１項に記載の情報提供システム。
【請求項６】
情報配信制御装置は、周期的に配信することを特徴とする請求項１から５のいずれか１項に記載の情報提供システム。
【請求項７】
時刻情報、入力装置から入力された入力情報及びＤＳＲＣ路側装置の接続情報に基づき情報出力の判定を行う情報出力判定部と、
前記情報出力判定部の判定結果に応じて前記ＤＳＲＣ路側装置への配信情報を制御する配信制御情報を出力する情報出力部とを備えたことを特徴とする情報提供判定装置。
【請求項８】
時刻情報、入力装置から入力された入力情報及びＤＳＲＣ路側装置の接続情報に基づき情報出力の判定を行った配信制御情報に基づき前記ＤＳＲＣ路側装置への配信情報を制御することを特徴とする情報配信制御装置。
【発明の詳細な説明】
【技術分野】
【０００１】
本発明は、センサ等から取得した交通状況に応じて車両へ情報提供を迅速かつ的確に実施する情報提供システム、情報提供判定装置及び情報配信制御装置に関するものである。
【背景技術】
【０００２】
車両へ情報提供する装置として、情報センタから送信されたデータを統一情報配信フォーマットに変換してデータプールに保存し、配信スケジューラがデータプール内のデータの配信順序付けを行い、配信順序付けされたデータの配信タイミングは、タイマにて管理し、タイマによる配信タイミングに従い各種車両に情報提供を実施する情報提供システム及び情報提供装置があった（例えば、特許文献１参照）。
【０００３】
【特許文献１】特開２００１−３３８３８９号公報
【発明の開示】
【発明が解決しようとする課題】
【０００４】
従来の情報提供装置では、センタから指定されたスケジュールに沿った情報配信しかできないため、動的に変化する交通状況に応じて配信する情報の内容や配信する順番を動的に変更したり、危険な事象が発生した際に遅延なく迅速に情報提供をしたりすることができなかった。また、情報配信手段を増設したときに、センタにて全ての情報配信手段を制御する必要があるため、情報提供処理の負荷が増大するこという課題があった。
【０００５】
本発明は、かかる問題点を解決するためになされたものであり、動的に変化する交通状況に応じて配信する情報の内容、配信する順番を変更でき、突然発生する危険事象に対して迅速に情報提供できる情報提供システム、情報提供判定装置及び情報配信制御装置を提供することを目的としている。
【課題を解決するための手段】
【０００６】
この発明の情報提供システムは、時刻情報、入力装置から入力された入力情報及びＤＳＲＣ路側装置の接続情報に基づき情報出力の判定を行って配信制御情報を出力する情報提供判定装置と、配信制御情報に基づきＤＳＲＣ路側装置への配信情報を制御する情報配信制御装置とを備えたことを特徴とするものである。
【０００７】
また、この発明の情報提供判定装置は、時刻情報、入力装置から入力された入力情報及びＤＳＲＣ路側装置の接続情報に基づき情報出力の判定を行う情報出力判定部と、情報出力判定部の判定結果に応じてＤＳＲＣ路側装置への配信情報を制御する配信制御情報を出力する情報出力部とを備えたことを特徴とするものである。
【０００８】
さらに、この発明の情報配信制御装置は、時刻情報、入力装置から入力された入力情報及びＤＳＲＣ路側装置の接続情報に基づき情報出力の判定を行った配信制御情報に基づきＤＳＲＣ路側装置への配信情報を制御することを特徴とするものである。
【発明の効果】
【０００９】
この発明の情報提供システムは、時刻情報、入力装置から入力された入力情報及びＤＳＲＣ路側装置の接続情報に基づき情報出力の判定を行って配信制御情報を出力する情報提供判定装置と、配信制御情報に基づきＤＳＲＣ路側装置への配信情報を制御する情報配信制御装置とを備えたので、突然発生する危険事象に対しても迅速に情報提供できる。
【００１０】
また、この発明の情報提供判定装置は、時刻情報、入力装置から入力された入力情報及びＤＳＲＣ路側装置の接続情報に基づき情報出力の判定を行う情報出力判定部と、情報出力判定部の判定結果に応じてＤＳＲＣ路側装置への配信情報を制御する配信制御情報を出力する情報出力部とを備えたので、突然発生する危険事象に対しても迅速に情報提供できる。
【００１１】
さらに、この発明の情報配信制御装置は、時刻情報、入力装置から入力された入力情報及びＤＳＲＣ路側装置の接続情報に基づき情報出力の判定を行った配信制御情報に基づきＤＳＲＣ路側装置への配信情報を制御するので、突然発生する危険事象に対しても迅速に情報提供できる。
【発明を実施するための最良の形態】
【００１２】
実施の形態１．
図１は、この発明の実施の形態１による情報提供システムの構成を示すブロック図である。まず、情報提供判定装置１について説明する。入力装置１ａから入力部１００の情報入力手段１００ａに情報が入力される。入力部１００から情報蓄積部１０３に情報が蓄積される。入力部１００の判定要求通知手段１００ｂは、入力された情報に応じて情報出力判定部１０２の判定要求取得手段１０２ｂに判定要求を通知する。情報出力判定部１０２では、配信制御情報の登録／削除の要否を判定する判定手段１０２ａと、判定要求を取得する判定要求取得手段１０２ｂ、判定手段１０２ａが周期的に判定を行う際の周期を計時するタイマ１０２ｃを持っている。一方、情報蓄積部１０３と情報出力判定部１０２とで情報のやり取りがなされる。
【００１３】
次に、配信制御情報を登録する情報登録手段１０１ｂと、既に登録した配信制御情報を削除する情報削除手段１０１ａと、登録した配信制御情報を更新したことを通知する配信要求通知手段１０１とから構成される情報出力部１０１から情報配信制御装置２に対して情報が提供される。
【００１４】
情報配信制御装置２は、情報提供判定装置１から登録された配信制御情報を蓄積する情報蓄積部２０５と、情報出力部２０１とから構成されている。情報出力部２０１は、情報蓄積部２０５に登録された配信制御情報の内容から配信情報を生成する配信情報生成手段２０１ｃと、生成した配信情報をＤＳＲＣ路側装置２ａに出力する情報出力手段２０１ｄと、配信要求通知を取得する配信要求取得手段２０１ａと、配信情報を周期的に生成し出力するために、送信周期を計時するタイマ２０１ｂとで構成されている。
なお、図において、同一の符号を付したものは、同一またはこれに相当するものであり、このことは明細書の全文において共通することである。また、明細書全文に表れている構成要素の形容は、あくまで例示であってこれらの記載に限定されるものではない。
【００１５】
図１を用いて情報提供判定装置１を構成している入力部１００と情報出力判定部１０２、情報出力部１０１の動作を順に説明する。
【００１６】
情報提供判定装置１の入力部１００は、情報入力手段１００ａと判定要求通知手段１００ｂで構成されている。情報入力手段１００ａは、入力装置１ａからの入力情報を受信する。また、情報入力手段１００ａは、判定要求通知手段１００ｂへ通知すると共に、情報蓄積部１０３に入力情報を蓄積する。尚、情報入力手段１００ａは、入力装置１ａへポーリング等により入力情報を獲得しても良い。判定要求通知手段１００ｂは、情報入力手段１００ａからの入力情報により判定要求取得手段１０２ｂに判定要求を通知するか否かを判定する。なお、判定要求通知手段１００ｂは、情報入力手段１００ａから入力情報が通知されたら必ず判定要求取得手段１０２ｂに通知しても良い。
【００１７】
情報出力判定部１０２は、判定手段１０２ａと判定要求取得手段１０２ｂ、タイマ１０２ｃで構成される。判定手段１０２ａは、判定要求取得手段１０２ｂが入力部１００から判定要求通知を受信した時に、情報蓄積部１０３から検索した入力情報と時刻情報、接続された配信制御装置の接続情報を元に配信制御情報登録の要否や配信制御情報削除の要否を判定し、必要に応じて情報出力部１０１に通知する。
【００１８】
また、判定手段１０２ａは、周期的に判定処理を行うためにタイマ１０２ｃを起動し、タイマ１０２ｃのタイムアウトによっても、配信制御情報の登録の要否や、既に登録した配信制御情報の削除の要否を判定し、必要に応じて情報出力部１０１に通知する。
【００１９】
このように入力部１００からの判定要求通知とタイマ１０２ｃのタイムアウトの両方から、判定手段１０２ａにて配信制御情報の登録／削除を判定することで、外部状況の変化に伴う入力情報の変化によって迅速に情報を提供することが可能となると共に、入力装置２ａの故障等により入力部１００からの判定要求通知が来ない場合にも、タイマ起動にて判定手段１０２ａにて判定処理を行うことで、情報を提供することが可能となる。
【００２０】
情報出力部１０１は、情報登録手段１０１ｂと情報削除手段１０１ａ、配信要求通知手段１０１ｃで構成される。情報登録手段１０１ｂは、判定手段１０２ａから配信制御情報を登録するように通知された時に、情報配信制御装置２の情報蓄積部２０５に配信制御情報を登録する。情報削除手段１０１ａは、判定手段１０２ａの判定結果に基づいて、情報配信制御装置２の情報蓄積部２０５に登録されている配信制御情報を削除する。配信要求通知手段１０１ｃは、情報蓄積部２０５の登録状況を変更した際に、情報出力部２０１の配信要求取得手段２０１ａに登録した配信制御情報を変更したことを通知する。
【００２１】
次に情報配信制御装置２を構成している情報出力部２０１の動作を説明する。
【００２２】
情報配信制御装置２の情報出力部２０１は、配信要求取得手段２０１ａとタイマ２０１ｂ、配信情報生成手段２０１ｃ、情報出力手段２０１ｄで構成されている。配信要求取得手段２０１ａは、情報提供判定装置１の配信要求通知手段１０１ｃからの配信要求を受け、配信情報生成手段２０１ｃに情報蓄積部２０５の登録情報が更新されたことを通知する。配信情報生成手段２０１ｃは、配信要求取得手段２０１ａからの通知を受け、情報蓄積部２０５を検索し、新たに配信制御情報が登録されていた場合には、配信制御情報に基づいて配信情報を生成すると共に、必要があれば配信順序を更新する。タイマ２０１ｂは、周期的な配信を実現するために配信情報生成手段２０１ｃにて起動される。このように、情報配信制御装置２において、周期的な配信はタイマ２０１ｂにて実現することで、情報提供判定装置１が周期的に配信を要求する付加を低減できる。また、状況の変化による緊急配信は、配信要求取得手段２０１ａにて情報提供判定装置１からの配信要求にて実現できる。情報出力手段２０１ｄは、配信情報生成手段２０１ｃにて生成された配信情報を配信順序に応じてＤＳＲＣ路側装置２ａに送信し、ＤＳＲＣ路側装置２ａから車両に情報提供される。
【００２３】
図２に情報提供判定装置１が情報配信制御装置２に登録する配信制御情報のフォーマットの一例を示す。尚、図２に示すフォーマットは、一例であり、そのフォーマットに限定するものではない。図２の例では、配信制御情報は、配信情報を生成するための提供情報種別と配信順序を制御するための優先度で構成している。このように配信制御情報に優先度を含むことで、情報提供判定装置１が登録する配信制御情報を用いて、情報配信制御装置２の配信順序を動的に変更することができる。尚、配信制御情報が複数の提供情報種別を含んでいても良く、情報の属性として優先度だけでなく、情報の有効な領域や提供すべき車両の属性等を含んでいても良い。
【００２４】
実施の形態２．
この発明の実施の形態２による情報提供システムの構成は、基本的に図１に示した実施の形態１と同じであるが、情報提供判定装置１に複数の情報配信制御装置２，３が接続されている。図３は実施の形態２のブロック図である。
【００２５】
図３を用いて、複数の情報配信制御装置が接続された時の動作例を説明する。
【００２６】
情報提供判定装置１は、情報蓄積部１０３に情報配信制御装置２，３の接続情報として、設置位置（緯度、経度、停止線などの基準とした位置からの相対距離など）や情報配信制御装置２，３を識別するための装置ＩＤ、ＩＰアドレス等を管理する。情報出力判定部１０２は、配信制御情報の登録の要否を判定する際に、入力情報と時刻情報と接続情報を元に、複数接続された情報配信制御装置２,３について判定し、それぞれに必要と判定した配信制御情報を登録することが可能となる。尚、接続情報としては、設置位置や装置ＩＤ、ＩＰアドレスに限定するものではなく、情報配信制御装置２，３に接続されたＤＳＲＣ路側装置２ａ,３ａが情報提供する交差点を識別するための交差点ＩＤや通信するエリアの情報等を含んでいても良い。
【００２７】
情報配信制御装置２，３は、実施の形態１と同様の動作にて、登録された配信制御情報を元に配信情報を生成し、ＤＳＲＣ路側装置２ａ,３ａを介して、車両に配信情報を提供する。この際に、周期的な配信については、情報配信制御装置の情報出力部２０１、３０１にてタイマで管理することで、情報提供判定装置が周期的に配信要求をする必要はなく、情報提供判定装置の負荷を軽減できる。また、入力装置１ａからの入力情報から緊急配信が必要な場合には、情報提供判定装置から該当する情報配信制御装置に配信要求をすることで実現可能となる。
【００２８】
以上、説明したように、情報提供システムは、時刻情報、入力装置から入力された入力情報及びＤＳＲＣ路側装置の接続情報に基づき情報出力の判定を行って配信制御情報を出力する情報提供判定装置と、配信制御情報に基づきＤＳＲＣ路側装置への配信情報を制御する情報配信制御装置とを備えたので、突然発生する危険事象に対しても迅速に情報提供できる。
【００２９】
また、情報提供判定装置は、時刻情報、入力装置から入力された入力情報及びＤＳＲＣ路側装置の接続情報に基づき情報出力の判定を行う情報出力判定部と、情報出力判定部の判定結果に応じてＤＳＲＣ路側装置への配信情報を制御する配信制御情報を出力する情報出力部とを備えたので、突然発生する危険事象に対しても迅速に情報提供できる。
【００３０】
さらに、情報配信制御装置は、時刻情報、入力装置から入力された入力情報及びＤＳＲＣ路側装置の接続情報に基づき情報出力の判定を行った配信制御情報に基づきＤＳＲＣ路側装置への配信情報を制御するので、突然発生する危険事象に対しても迅速に情報提供できる。
【００３１】
また、配信制御情報は、配信制御情報の登録情報または削除情報である。さらに、配信制御情報は、配信要求の情報である。また、配信制御情報には、配信順序を制御する優先度を含んでいる。また、情報提供判定装置は、周期的に判定を実施している。さらに、情報配信制御装置は、周期的に配信している。
【００３２】
動的に変化する交通状況に応じて配信する情報の内容や配信する順番を変更でき、突然発生する危険事象に対して迅速に情報提供できる。また、必要に応じて、容易に情報配信手段を増設でき、情報配信手段毎に提供情報を変更することが可能で、情報配信手段の増設により情報提供判定装置の負荷が増大しない情報提供システム及び情報提供判定装置、情報配信制御装置を得ることができる。
【００３３】
さらに、動的に変化する交通状況に応じて、必要な情報を必要な順番で必要な路側装置から遅延無く配信することが可能となり、情報配信手段を増設した時にも、情報提供判定装置の負荷増大を抑えることができる。
【図面の簡単な説明】
【００３４】
【図１】この発明の実施の形態１による情報提供判定装置および情報配信制御装置の構成を示すブロック図である。
【図２】この発明の実施の形態１による登録情報フォーマット例を示す図である。
【図３】この発明の実施の形態２による情報提供判定装置および情報配信制御装置の構成を示すブロック図である。
【符号の説明】
【００３５】
１  情報提供判定装置、１ａ  入力装置、１００入力部、１００ａ  情報入力手段  １００ｂ判定要求通知手段、１０１  情報出力部、１０１ａ  情報削除手段、１０１ｂ  情報登録手段、１０１ｃ  配信要求通知手段、１０２  情報出力判定部、１０２ａ  判定手段、１０２ｂ  判定要求取得手段、１０２ｃ  タイマ、１０３  情報蓄積部、２  情報配信制御装置、２ａ  ＤＳＲＣ路側装置、２０１  情報出力部、２０１ａ  配信要求取得手段、２０１ｂタイマ、２０１ｃ  配信情報生成手段、２０１ｄ  情報出力手段  ２０５  情報蓄積部、３、情報配信制御装置、３ａ  ＤＳＲＣ路側装置、３０１  情報出力部、３０５  情報蓄積部。
【図１】
2009020662.tif 000003
【図２】
2009020662.tif 000004
【図３】
2009020662.tif 000005